(57)【要約】【課題】単一のカバーで電力取出部への雨水などの浸入を抑えることができる電力取出装置を提供する。【解決手段】電力取出装置１５は、本体から張り出される張出壁１７と、張出壁１７および電力取出部１６を覆うカバー１８とを備えている。カバー１８はカバー壁３６およびカバー周壁３７を備えている。上カバー周壁５１がケース１３に対して間隔をおいて配置され、上カバー周壁５１およびケース１３で上張出壁３１の上方に水導入口４５が形成される。また、カバー壁３６に中央排出口６７と中央案内部７６とが形成される。中央排出口６７が水導入口４５に連通された状態で上張出壁３１の下方に開口される。さらに、中央案内部７６が中央排出口６７の下縁６７ｃから上張出壁３１の下方まで張り出される。【選択図】図５
2016096649.tif 000002
【特許請求の範囲】
【請求項１】
電源装置に設けられて電力を取り出す電力取出装置において、
前記電源装置の本体に設けられ、前記電力取出装置の電力取出部を囲繞するように張り出される張出壁と、
前記張出壁および前記電力取出部を覆うカバーと、を備え、
前記カバーは、
前記電力取出部を覆い、かつ、外周縁が前記張出壁の先縁に対向するカバー壁と、
該カバー壁の外周縁から前記張出壁に沿って張り出され、前記本体に対して間隔をおいて配置されることにより前記張出壁の上方に水導入口を形成するカバー周壁と、を有し、
前記カバー壁は、
前記水導入口に連通され、かつ、前記張出壁の下方に開口する水排出口と、
該水排出口の下縁から前記張出壁の下方まで張り出される水案内部と、
を有することを特徴とする電力取出装置。
【請求項２】
前記カバー壁３６は、
前記水案内部のうち、前記張出壁に上下方向において重なる部位から前記張出壁に向けて突出する突部を有することを特徴とする請求項１記載の電力取出装置。
【請求項３】
前記水案内部は、
前記張出壁から前記水排出口に向けて下り勾配に形成されることを特徴とする請求項１または請求項２記載の電力取出装置。
【請求項４】
前記カバー壁のうち、前記電力取出部のコンセントに対応する部位に挿通口が開口され、
前記カバーは、
前記挿通口を覆い、かつ、前記コンセントに接続される電線を挿通可能なスリットまたは重合せ部を有する弾性変形可能な電線シール部を備えることを特徴とする請求項１〜３のいずれか１項記載の電力取出装置。
【発明の詳細な説明】
【技術分野】
【０００１】
本発明は、電力変換装置などの電源装置に設けられ、電力取出部を備える電力取出装置に関する。
【背景技術】
【０００２】
電源装置の電力取出装置のなかには、電源装置の本体に電力を取り出すための取出部（以下、電力取出部という）が設けられ、電力取出部がカバーで覆われ、カバーがドアで覆われるものが知られている。カバーをドアで覆うことにより、カバーに雨水などが付着することをドアで抑えることができる。
これにより、雨水がカバーを経て電力取出部まで浸入することを抑えることができる（例えば、特許文献１参照。）。
【先行技術文献】
【特許文献】
【０００３】
【特許文献１】実用新案登録第３１３５９６３号公報
【発明の概要】
【発明が解決しようとする課題】
【０００４】
しかし、特許文献１の電力取出装置は、電力取出部に雨水などが浸入することを抑えるために、カバーおよびドアの二部材を必要とする。このため、部品点数が多くなり、そのことがコストを抑える妨げになっていた。
【０００５】
本発明は、単一のカバーで電力取出部への雨水などの浸入を抑えることができる電力取出装置を提供することを課題とする。
【課題を解決するための手段】
【０００６】
請求項１に係る発明は、電源装置に設けられて電力を取り出す電力取出装置において、前記電源装置の本体に設けられ、前記電力取出装置の電力取出部を囲繞するように張り出される張出壁と、前記張出壁および前記電力取出部を覆うカバーと、を備え、前記カバーは、前記電力取出部を覆い、かつ、外周縁が前記張出壁の先縁に対向するカバー壁と、該カバー壁の外周縁から前記張出壁に沿って張り出され、前記本体に対して間隔をおいて配置されることにより前記張出壁の上方に水導入口を形成するカバー周壁と、を有し、前記カバー壁は、前記水導入口に連通され、かつ、前記張出壁の下方に開口する水排出口と、該水排出口の下縁から前記張出壁の下方まで張り出される水案内部と、を有することを特徴とする。
【０００７】
請求項２に係る発明は、前記カバー壁３６は、前記水案内部のうち、前記張出壁に上下方向において重なる部位から前記張出壁に向けて突出する突部を有することを特徴とする。
【０００８】
請求項３に係る発明は、前記水案内部は、前記張出壁から前記水排出口に向けて下り勾配に形成されることを特徴とする。
【０００９】
請求項４に係る発明は、前記カバー壁のうち、前記電力取出部のコンセントに対応する部位に挿通口が開口され、前記カバーは、前記挿通口を覆い、かつ、前記コンセントに接続される電線を挿通可能なスリットまたは重合せ部を有する弾性変形可能な電線シール部を備えることを特徴とする。
【発明の効果】
【００１０】
請求項１に係る発明では、電源装置の本体に張出壁を設け、張出壁で本体の電力取出部を囲繞するようにした。また、張出壁および電力取出部をカバーで覆うようにした。このカバーにカバー壁とカバー周壁とを備え、カバー周壁および装置本体で張出壁の上方に水導入口を形成した。
さらに、カバー壁に水排出口と水案内部とを備え、水排出口を水導入口に連通し、かつ、張出壁の下方に開口させた。また、水案内部を水排出口の下縁から張出壁の下方まで張り出した。
【００１１】
よって、水導入口から浸入した雨水（水）が張出壁およびカバー周壁間に流入し、流入した雨水が張出壁の先端まで案内される。先端まで案内された雨水が先端から水案内部に滴下し、滴下した雨水が水排出口に案内される。水排出口に案内された雨水が水排出口から外部に排出される。
これにより、単一のカバーで電力取出部への雨水の浸入を抑えることができ、コストを抑えることができる。
【００１２】
さらに、水導入口から浸入した雨水を水排出口から外部に排出することにより、装置本体およびカバー間をシール材で密封する必要がない。これにより、シール材を不要にすることができ、コストをさらに抑えることができる。
【００１３】
ここで、例えば、電源装置の本体およびカバー間をシール材で密封させて雨水の浸入を抑える場合、本体およびカバーの形状を精度よく形成する必要がある。このため、本体およびカバー（すなわち、電源装置）のコストを抑える妨げになり好ましくない。
これに対して、請求項１の電源取出装置は、本体およびカバー間に隙間を形成した状態で、電力取出部への雨水の浸入を抑えるように構成されている。よって、本体およびカバーの形状の精度ある程度抑えることが可能になる。これにより、本体およびカバーの製造が容易になり、電源装置のコストをさらに抑えることができる。
【００１４】
請求項２に係る発明では、水案内部のうち張出壁に上下方向において重なる部位に突部を設け、突部を張出壁に向けて突出させた。よって、張出壁の先端から水案内部に滴下した雨水が電力取出部側に浸入することを突部で防ぐことができる。
これにより、水案内部に滴下した雨水を水排出口に確実に案内して水排出口から外部に排出することができる。
【００１５】
請求項３に係る発明では、水案内部を張出壁から水排出口に向けて下り勾配に形成した。よって、張出壁の先端から水案内部に滴下した雨水が電力取出部側に浸入することを水案内部で防ぐことができる。
これにより、水案内部に滴下した雨水を水排出口に確実に案内して水排出口から外部に排出することができる。
【００１６】
請求項４に係る発明では、カバー壁に挿通口を開口し、挿通口を弾性変形可能な電線シール部で覆うようにした。さらに、電線シール部にスリットまたは重合せ部を形成し、スリットまたは重合せ部に電線を挿通させるようにした。
これにより、電線シール部のスリットまたは重合せ部に電線を挿通させない場合には挿通口を電線シール部で覆うことができ、挿通口から電力取出部に雨水が浸入することを抑えることができる。
【００１７】
一方、電線シール部のスリットまたは重合せ部に電線を挿通する場合には、電線シール部が弾性変形することにより、電線および電線シール部間の隙間を小さく抑えることができる。
これにより、電線および電線シール部間の隙間から電力取出部に雨水が浸入することを抑えることができる。
【図面の簡単な説明】
【００１８】
【図１】本発明に係る電力取出装置を備えた電源装置を示す斜視図である。
【図２】図１の２部拡大図である。
【図３】図２の電力取出装置からカバーを外した状態を示す分解斜視図である。
【図４】図３のカバーを一部破断した状態で示す斜視図である。
【図５】図２の５−５線断面図である。
【図６】図１の６−６線断面図である。
【図７】図２の７−７線断面図である。
【図８】（ａ）は図２の８ａ−８ａ線断面図、（ｂ）は図８（ａ）の８ｂ拡大図である。
【図９】（ａ）は図２の９ａ−９ａ線断面図、（ｂ）は図９（ａ）の９ｂ拡大図である。
【図１０】本発明に係る電力取出装置で水導入口に流入した雨水を中央排出口から外部に排出する例を説明する図である。
【図１１】本発明に係る水導入口に流入した雨水を右排出口から外部に排出する例を説明する図である。
【図１２】本発明に係る電力取出装置で電力取出部に下方から雨水が浸入することを抑える例を説明する図である。
【図１３】本発明に係る電力取出装置で電力取出部に右側から雨水が浸入することを抑える例を説明する図である。
【図１４】変形例１の水排出口を山形に形成した例を示す斜視図である。
【図１５】変形例２の下張出壁の下面を傾斜させた状態を示す断面図である。
【図１６】変形例３の電線シール部のシール材を重ね合わせた状態を示す断面図である。
【発明を実施するための形態】
【００１９】
本発明を実施するための最良の形態を添付図に基づいて以下に説明する。
【実施例】
【００２０】
実施例に係る電力取出装置１５について説明する。
図１に示すように、電源装置１０は、燃料電池車両などで発生させた直流の電力を交流に変換する本体１１と、本体１１に設けられる電力取出装置１５と、本体１１に設けられる牽引用のハンドル２１および携帯用のグリップ２２とを備える直流／交流変換装置である。
以下、直流の電力を発生する装置として、燃料電池車両およびプラグインハイブリッド車両などを例に説明する。
【００２１】
図２、図３に示すように、電力取出装置１５は、本体１１に設けられる電力取出部１６と、電力取出部１６を囲繞するように張り出される張出壁１７と、電力取出部１６を覆うカバー１８とを備えている。
【００２２】
本体１１は、電力取出部１６の複数の出力コンセント２８に接続される変換ユニット１２（図１参照）と、変換ユニット１２を収容するケース１３とを備えている。
ケース１３は、電力取出部１６に対応する部位に略矩形状に形成される開口部２４と、開口部２４の上方に形成される一対のカバー支持部１５とを有する。ケース１３に開口部２４が形成されることにより、開口部２４を介して電力取出部１６がケース１３の外部に露出されている。
【００２３】
電力取出部１６は、変換ユニット１２の壁部に設けられた電力取出ボード２７と、電力取出ボード２７に設けられた複数の出力コンセント（コンセント）２８を備えている。出力コンセント２８に家庭用電装部品や屋外用照明などのプラグ２９（図６参照）が接続される。
また、本体１１の入力コンセント（図示せず）に燃料電池車両およびプラグインハイブリッド車両などのプラグが接続される。
【００２４】
この状態において、燃料電池車両およびプラグインハイブリッド車両などを駆動することにより直流の電力が発生し、発生した直流の電力が変換ユニット１２（図１参照）に導かれる。導かれた電力が変換ユニット１２で交流に変換され、変換された電力が出力コンセント２８に導かれる。
出力コンセント２８に導かれた電力がプラグ２９および電線６５（図６参照）を経て家庭用電装部品や屋外用照明部品に導かれる。すなわち、電力取出部１６から家庭用電装部品や屋外用照明部品に交流の電力が導かれる。
【００２５】
この電力取出部１６が張出壁１７で囲繞されている。張出壁１７は、ケース１３の開口部２４の開口周縁２４ａからケース１３の外部（すなわち、カバー１８）に向けて張り出されている。
具体的には、張出壁１７は、開口周縁２４ａの上部から略水平に張り出される上張出壁３１と、開口周縁２４ａの下部から略水平に張り出される下張出壁３２と、開口周縁２４ａの左側部から張り出される左張出壁３３と、開口周縁２４ａの右側部から張り出される右張出壁３４とを有する。
【００２６】
上張出壁３１、下張出壁３２、左張出壁３３および右張出壁３４で張出壁１７が開口周縁２４ａに沿って略矩形枠状に形成されている。換言すれば、張出壁１７は、電力取出部１６を囲繞するように電力取出部１６の周囲に張り出されている。
【００２７】
電力取出部１６および張出壁１７がカバー１８で覆われている。
カバー１８は、電力取出部１６を覆うカバー壁３６と、カバー壁３６の外周縁３６ａから張出壁１７に沿って張り出されるカバー周壁３７と、カバー壁３６に設けられる複数の電線シール部３８と、カバー周壁３７の上カバー周壁５１に設けられる連結部３９とを有する。
【００２８】
連結部３９が一対の支持ピン４１を介して一対のカバー支持部１５に回動自在に支持される。一対の支持ピン４１にコイルばね４２が取り付けられ、コイルばね４２のばね力でカバー１８が閉位置Ｐ１に保持される。この状態において、電力取出部１６および張出壁１７がカバー１８で覆われる。
【００２９】
図４、図５に示すように、カバー壁３６の外周縁３６ａからカバー周壁３７が張出壁１７に沿って張り出されている。カバー周壁３７が張出壁１７（図３も参照）と同様に略矩形枠状に形成されている。
カバー周壁３７は、カバー１８が閉位置Ｐ１（図２参照）に保持された状態において、張出壁１７を外周側から囲繞するように配置される。
【００３０】
張出壁１７を外周側から囲繞するようにカバー周壁３７が配置された状態において、カバー周壁３７の先縁３７ａが本体１１のケース１３の表面１３ａに対して間隔をおいて配置される。これにより、カバー周壁３７の先縁３７ａおよびケース１３の表面１３ａ間に隙間４４が形成される。
【００３１】
カバー周壁３７は、上カバー周壁５１、下カバー周壁５２、左カバー周壁５３および右カバー周壁５４（図２参照）を有する。
上カバー周壁５１は、カバー壁３６の上部から上張出壁３１に沿って張り出され、上張出壁３１の上方に配置される。下カバー周壁５２は、カバー壁３６の下部から下張出壁３２に沿って張り出され、下張出壁３２の下方に配置されている。
また、左カバー周壁５３は、カバー壁３６の左側部から左張出壁３３に沿って張り出され、左張出壁３３の左側に配置される。右カバー周壁５４は、カバー壁３６の右側部から右張出壁３４（図３参照）に沿って張り出され、右張出壁３４の右側に配置される。
【００３２】
ここで、構成の理解を容易にするために、カバー周壁３７の先縁３７ａおよびケース１３の表面１３ａ間の隙間４４のうち、上カバー周壁５１の先縁５１ａおよびケース１３の表面１３ａ間の隙間を水導入口４５として説明する。
すなわち、水導入口４５が上張出壁３１より上方に配置される。
【００３３】
図３に戻って、カバー壁３６が電力取出部１６を覆うように形成され、かつ、カバー壁３６の外周縁３６ａが張出壁１７の先縁１７ａに対向するように平面視略矩形状に形成されている。
また、カバー壁３６の下部３６ｂが電力取出部１６に向けて凹むように凹状に形成されている。これにより、グリップ２２（（図１参照））を握った手がカバー壁３６の下部３６ｂに当たることを防止できる。
【００３４】
図３、図５に示すように、カバー壁３６は、中央３６ｃから下端３６ｄまで延びる電線挿通部５５と、電線挿通部５５に沿って設けられるビード５６と、外周縁３６ａの上周縁に沿って形成される水排出口５７と、水排出口５７から張出壁１７の上張出壁３１まで張り出される水案内部５８と、水案内部５８に設けられた突部５９とを有する。
【００３５】
図３、図４に示すように、電線挿通部５５は、カバー壁３６の中央３６ｃから下端３６ｄまで延びる複数の挿通口６１と、各挿通口６１の周縁に沿って形成されたリブ６２とを有する。
複数の挿通口６１は、カバー壁３６のうち複数の出力コンセント２８に対応する部位に開口されている。具体的には、挿通口６１は、平面視略Ｕ字状に形成され、上端部６１ａが半円弧状に形成され、下端部６１ｂが開口されている。
【００３６】
挿通口６１の周縁に沿ってリブ６２が形成されることにより、リブ６２が平面視略Ｕ字状に形成されている。リブ６２は、カバー壁３６に対して直交する方向に張り出され、上半部６２ａがカバー壁３６から外部側に張り出されている。
挿通口６１の周縁に挿通リブ６２が形成されることにより、挿通口６１近傍が挿通リブ６２で補強される。これにより、カバー壁３６（すなわち、カバー）の剛性が挿通リブ６２で確保される。
【００３７】
略Ｕ字状のリブ６２の内壁に電線シール部３８が接着剤などで接合され、電線シール部３８で挿通口６１が覆われる。
電線シール部３８は、一例として、自動車などのシール材として用いられる弾性部材で形成されている。電線シール部３８に電線（コード）６５（図６参照）を挿通可能なスリット４７が形成される。
【００３８】
図６に示すように、出力コンセント２８にプラグ２９が接続されることにより電線６５が電線シール部３８のスリット４７に挿通される。スリット４７に電線６５が挿通されることにより、電線シール部３８が弾性変形する。
電線シール部３８が弾性変形することにより、電線６５およびスリット４７間に隙間が生じないようにできる。これにより、電線６５およびスリット４７間から電力取出部１６に水（特に、雨水）が浸入することを抑えることができる。
以下、水の代表例として雨水を例に説明する。
【００３９】
出力コンセント２８にプラグ２９が接続された状態で、プラグ２９がカバー１８で覆われる。これにより、プラグ２９がカバー１８で保護され、電力取出装置１５の使い勝手が高められる。
【００４０】
一方、図４に示すように、電線シール部３８のスリット４７に電線６５（図６参照）を挿通させない場合には、スリット４７が閉じられた状態に保たれる。
これにより、電線シール部３８で挿通口６１を覆うことができ、挿通口６１から電力取出部１６（図６参照）に雨水が浸入することを抑えることができる。
【００４１】
図３、図４に戻って、複数の挿通口６１が複数の出力コンセント２８に対応する部位に開口され、挿通口６１が電線シール部３８で覆われる。これにより、複数の出力コンセント２８を同時に利用することが可能になり、電力取出装置１５の使い勝手を高めることができる。
【００４２】
電線挿通部５５の各リブ６２の上半部６２ａに沿って、上半部６２ａの外側にビード５６が設けられている。ビード５６は、電力取出部１６に向けて凹むように断面略湾曲状に形成されている。
これにより、挿通口６１近傍がビード５６で補強され、カバー壁３６（すなわち、カバー）の剛性がビード５６で一層良好に確保される。
【００４３】
さらに、各リブ６２の上半部６２ａに沿ってビード５６が設けられることにより、カバー壁３６の表面に沿ってビード５６に導かれる雨水を、ビード５６に沿って下降させることができる。よって、カバー壁３６の表面の雨水を電線挿通部５５を避けて下降させることができる。
また、各リブ６２の上半部６２ａがカバー壁３６から外部側に張り出されることにより、カバー壁３６の表面の雨水が挿通口６１に浸入することを各リブ６２の上半部６２ａで防ぐことができる。
【００４４】
このように、各リブ６２の上半部６２ａに沿ってビード５６が設けられ、さらに、各リブ６２の上半部６２ａがカバー壁３６から外部側に張り出されることにより、カバー壁３６の表面の雨水が挿通口６１に浸入することを防止できる。
【００４５】
図２に示すように、ビード５６の上方に水排出口５７が形成されている。水排出口５７は、カバー壁３６の外周縁３６ａの上外周縁に沿って直線状に形成される中央排出口６７と、外周縁３６ａの左外周縁の上端に沿って形成される左排出口６８と、外周縁３６ａの右外周縁の上端に沿って形成される右排出口６９とを有する。
中央排出口６７には間隔をおいて複数のリブ７１が形成されている。
【００４６】
図５に示すように、中央排出口６７は、カバー周壁３７の上カバー周壁５１およびケース１３の表面１３ａ間の水導入口４５に連通されている。具体的には、上張出壁３１に重なるように上カバー周壁５１が上張出壁３１の上方に配置されることにより、上カバー周壁５１および上張出壁３１間に空間７３が形成される。この空間７３を介して中央排出口６７が水導入口４５に連通される。
さらに、中央排出口６７は、上張出壁３１の先端３１ａから外方に離れた位置で、かつ、張出壁１７の上張出壁３１より下方位置に開口されている。すなわち、中央排出口６７が中央排出口６７の下方に配置されている。
【００４７】
図２、図７に示すように、水排出口５７の右排出口６９は、中央排出口６７の右端部６７ｂから下方に向けて延ばされ、張出壁１７の右張出壁３４よりカバー壁３６の中央側（すなわち、左側）に形成されている。
水排出口５７の左排出口６８は、右排出口６９と同様に、中央排出口６７の左端部６７ａから下方に向けて延ばされている。左排出口６８は、右排出口６９と左右対称の開口であり、以下詳しい説明を省略する。
【００４８】
水排出口５７から張出壁１７まで水案内部５８が張り出されている。
水案内部５８は、中央排出口６７に設けられる中央案内部７６と、左排出口６８に設けられる左案内部（図示せず）と、右排出口６９に設けられる右案内部７８とを有する。
【００４９】
図５に示すように、中央案内部７６は、中央排出口６７の下縁６７ｃから上張出壁３１の下方まで上り勾配で張り出されている。換言すれば、張出壁１７の上張出壁３１から中央排出口６７に向けて中央案内部７６が下り勾配に形成されている。中央案内部７６は空間７３の下方に配置される。
【００５０】
この中央案内部７６は、張出壁１７の上張出壁３１の下方に所定間隔をおいて配置されている。中央案内部７６の先端７６ａには上突部（突部）５９ａが形成されている。中央案内部７６の先端７６ａは、張出壁１７の上張出壁３１に上下方向において重なる部位である。
すなわち、中央案内部７６の先端７６ａから張出壁１７の上張出壁３１に向けて上突部５９が突出されている。
【００５１】
このように、中央案内部７６が空間７３の下方に配置されることにより、電力取出装置１５の外側から水導入口４５に浸入する雨水が空間７３を経て中央案内部７６に導かれる。さらに、中央案内部７６に導かれた雨水が水排出口５７の中央排出口６７に案内され、中央排出口６７から外部に排出される。
【００５２】
ここで、上張出壁３１から中央排出口６７に向けて中央案内部７６が下り勾配に形成されている。よって、上張出壁３１の先端３１ａから中央案内部７６に滴下した雨水が電力取出部１６（図３参照）に浸入することを中央案内部７６で防ぐことができる。
【００５３】
また、中央案内部７６の先端７６ａに上突部５９ａが形成されている。上突部５９ａは上張出壁３１の先端３１ａより上張出壁３１に設けられている。よって、上張出壁３１の先端３１ａから中央案内部７６に滴下した雨水が電力取出部１６（図３参照）に浸入することを上突部５９ａで防ぐことができる。
【００５４】
さらに、上突部５９ａが先端３１ａより上張出壁３１に設けられている。すなわち、上突部５９ａが雨水の流路を避けて設けられている。よって、空間７３から中央案内部７６に導かれた雨水の流れを上突部５９ａで遮らないようにできる。
これにより、中央案内部７６に導かれた雨水を中央排出口６７に良好に案内して中央排出口６７から外部に排出できる。
【００５５】
このように、電力取出装置１５によれば、中央案内部７６に滴下した雨水を中央排出口６７に確実に案内して、案内した雨水を中央排出口６７から外部に排出できる。中央排出口６７から雨水を外部に排出することにより、電力取出部１６に雨水が浸入することを抑えることができる。
【００５６】
図２、図７に示すように、中央案内部７６の右端部７６ｂから右案内部７８が下方に延ばされる。右案内部７８は、右排出口６９の内縁６９ａから張出壁１７の右張出壁３４まで張り出される。この右案内部７８は、張出壁１７の右張出壁３４よりカバー壁３６の中央側（すなわち、左側）に配置され、右張出壁３４に対して所定間隔をおいて配置される。
【００５７】
右案内部７８の先端７８ａに右突部（突部）５９ｂが形成されている。右案内部７８の先端７８ａは、右張出壁３４に左右方向において重なる部位である。
すなわち、右突部５９は、右案内部７８の先端７８ａから右張出壁３４に向けて突出されている。
ここで、中央排出口６７の右端部６７ｂに導かれた雨水が右案内部７８に沿って下方に案内され、右排出口６９の下端６９ｂから外部に排出される。
【００５８】
左案内部および左突部は、右案内部７８および右突部５９ｂと左右対称の部位であり、以下詳しい説明を省略する。
左案内部および左突部によれば、中央排出口６７の左端部６７ａに導かれた雨水が左案内部に沿って下方に案内され、左排出口６８の下端６８ａから外部に排出される。
【００５９】
中央案内部７６の上突部５９ａ、右案内部７８の右突部５９ｂおよび左案内部の左突部が連続した状態に形成されている。このように連続した上突部５９ａ、右突部５９ｂおよび左突部で水案内部５８の突部５９が形成される。
【００６０】
以上説明したように、電力取出装置１５の外側から水導入口４５に浸入する雨水を水排出口５７（すなわち、中央排出口６７、左排出口６８および右排出口６９）から外部に排出できる。これにより、電力取出部１６（図３参照）への雨水の浸入を単一のカバー１８で抑えることができるので、電力取出装置１５（すなわち、電源装置１０）のコストを抑えることができる。
【００６１】
さらに、水導入口４５から浸入した雨水を水排出口５７から外部に排出することにより、本体１１のケース１３およびカバー１８間をシール材で密封する必要がない。これにより、シール材を不要にすることができ、コストを抑えることができる。
【００６２】
図８に示すように、カバー１８が閉位置Ｐ１に保持された状態において、下カバー周壁５２が下張出壁３２の下方に配置される。よって、下カバー周壁５２および下張出壁３２が上下方向において間隔をおいて重ね合わされた状態に配置される。
【００６３】
下張出壁３２の先端３２ａに下突部８１が設けられている。下突部８１は、下張出壁３２の先端３２ａから下カバー周壁５２に向けて下方に突出されている。下突部８１が下カバー周壁５２に対して間隔をおいて配置され、下突部８１および下カバー周壁５２間に隙間８２が形成される。
また、カバー１８が閉位置Ｐ１に保持された状態において、下カバー周壁５２の先縁５２ａおよびケース１３の表面１３ａ間に隙間４４が形成される。
【００６４】
これにより、電力取出部１６（図３参照）に浸入した雨水を隙間８２、隙間４４から外部に排出できる。また、下カバー周壁５２および下張出壁３２間に流入した雨水の流れを下突部８１で遮ることもできる。
【００６５】
図９に示すように、カバー１８が閉位置Ｐ１に保持された状態において、右カバー周壁５４が右張出壁３４の右側に配置される。よって、右カバー周壁５４および右張出壁３４が左右方向において間隔をおいて重ね合わされた状態に配置される。
【００６６】
右張出壁３４の先端３４ａに右突部８４が設けられている。右突部８４は、右張出壁３４の先端３４ａから右カバー周壁５４に向けて右方向に突出されている。右突部８４が右カバー周壁５４に対して間隔をおいて配置され、右突部８４および右カバー周壁５４間に隙間８５が形成される。
【００６７】
また、カバー１８が閉位置Ｐ１に保持された状態において、右カバー周壁５４の先縁５４ａおよびケース１３の表面１３ａ間に隙間４４が形成される。
右張出壁３４の先端３４ａに右突部８４を設けることにより、右カバー周壁５４および右張出壁３４間に流入した雨水の流れを右突部８４で遮ることができる。
【００６８】
図４に戻って、張出壁１７の左張出壁３３およびカバー周壁３７の左カバー周壁５３は、張出壁１７の右張出壁３４およびカバー周壁３７の右カバー周壁５４と左右対称の開口であり、以下詳しい説明を省略する。
【００６９】
ところで、電力取出装置１５への雨水の浸入を抑える手段として、例えば、図３に示す本体１１のケース１３およびカバー１８間をシール材で密封させることも考えられる。しかし、この場合、ケース１３およびカバー１８間の密封性を確保するために、ケース１３およびカバー１８の形状を精度よく形成する必要がある。
このため、ケース１３およびカバー１８（すなわち、電力取出装置１５）のコストを抑える妨げになり好ましくない。
【００７０】
そこで、本体１１のケース１３およびカバー１８間に隙間４４を形成した状態で、電力取出部１６への雨水の浸入を抑えるように電力取出装置１５を構成した。よって、ケース１３およびカバー１８の形状の精度ある程度抑えることが可能になる。
これにより、ケース１３およびカバー１８の製造が容易になり、電力取出装置１５（すなわち、電源装置１０）のコストを抑えることができる。
【００７１】
つぎに、電力取出部１６を雨水から保護する例を図１０〜図１３に基づいて説明する。
まず、上カバー周壁５１およびケース１３間の水導入口４５に流入した雨水を電力取出装置１５の外部に排出する例を図１０、図１１に基づいて説明する。
図１０（ａ）に示すように、カバー１８（すなわち、上カバー周壁５１）の上方から雨水が水導入口４５に滴下する。水導入口４５に滴下した雨水が水導入口４５に矢印Ａの如く流入する。
【００７２】
図１０（ｂ）に示すように、水導入口４５に流入した雨水が上張出壁３１に沿って先端３１ａまで矢印Ｂの如く案内される。先端３１ａまで案内された雨水が先端３１ａから水案内部５８に矢印Ｃの如く滴下し、滴下した雨水が水排出口５７（すなわち、中央排出口６７）に案内される。
水排出口５７に案内された雨水が中央排出口６７から外部に矢印Ｄの如く排出される（図１０（ａ）も参照）。
【００７３】
図１０（ａ）に示すように、中央排出口６７の右端部６７ｂに導かれた雨水が右案内部７８に沿って下降する。
図１１に示すように、右案内部７８に沿って下降した雨水が水排出口５７の右排出口６９（特に、下端６９ｂ）から外部に矢印Ｅ（図１０（ａ）も参照）の如く排出される。
【００７４】
図１０（ａ）に戻って、中央排出口６７の左端部６７ａに導かれた雨水も、中央排出口６７の右端部６７ｂに導かれた雨水と同様に、水排出口５７の左排出口６８（特に、下端６８ｂ）から外部に矢印Ｆの如く排出される。
よって、中央排出口６７の左端部６７ａや右端部６７ｂに雨水が留まることなく、外部に良好に排出される。
【００７５】
このように、カバー１８の上方から水導入口４５に流入した雨水を水排出口５７からカバー１８の外部に良好に流すことができる。
これにより、カバー１８の上方から水導入口４５に流入した雨水が電力取出部１６（図３参照）に浸入を抑えることができ、電力取出部１６を雨水から保護できる。
【００７６】
つぎに、電力取出装置１５の下方から電力取出部１６（図３参照）に雨水が浸入することを抑える例を図１２に基づいて説明する。
図１２に示すように、下張出壁３２の先端３２ａに下突部８１が設けられている。よって、下カバー周壁５２および下張出壁３２間に矢印Ｇの如く流入した雨水の流れを下突部８１で遮ることができる。
これにより、下カバー周壁５２および下張出壁３２間に流入した雨水の電力取出部１６（図３参照）への浸入を下突部８１で抑えることができる。
【００７７】
また、下突部８１および下カバー周壁５２間に隙間８２が形成されている。これにより、電力取出部１６側に浸入した雨水を隙間８２および隙間４４から矢印Ｈの如く外部に排出できる。
【００７８】
ついで、電力取出装置１５の右側から電力取出部１６（図３参照）に雨水が浸入することを抑える例を図１３に基づいて説明する。
図１３に示すように、右張出壁３４の先端３４ａに右突部８４が設けられている。よって、右カバー周壁５４および右張出壁３４間に矢印Ｉの如く流入した雨水の流れを右突部８４で遮ることができる。
これにより、右カバー周壁５４および右張出壁３４間に流入した雨水の電力取出部１６（図３参照）への浸入を右突部８４で抑えることができる。
【００７９】
つぎに、変形例１〜３を図１４〜図１６に基づいて説明する。
（変形例１）
図１４に示すように、変形例１は、実施例の水排出口５７を水排出口９１に代えたものである。実施例の水排出口５７は、中央排出口６７が左右方向に水平に延ばされている。
これに対して、変形例１の水排出口９１は、中央排出口９２の中央９２ａが高く配置されることにより中央排出口９２が山形に形成される。
【００８０】
中央排出口９２の中央９２ａが山形に形成されることにより、中央排出口９２に案内された雨水をカバー１８の左右側に矢印Ｊの如く案内できる。これにより、中央排出口９２から排出された雨水をカバー１８の電線挿通部５５（図２参照）から回避させることができる。
【００８１】
（変形例２）
図１５に示すように、変形例２は、下張出壁３２の下面を下面３２ｂに代えたものである。実施例の下張出壁３２の下面は略水平に形成されている。
これに対して、変形例２の下張出壁３２の下面３２ｂは傾斜されている。
【００８２】
具体的には、下張出壁３２の下面３２ｂが下突部８１からケース１３の表面１３ａまで下り勾配に形成されている。よって、下張出壁３２の下面３２ｂに付着した雨水を下面３２ｂに沿ってケース１３の表面１３ａまで矢印Ｋの如く案内できる。
これにより、下カバー周壁５２および下面３２ｂ間の雨水を隙間４４から外部に良好に排出できる。
【００８３】
（変形例３）
図１６に示すように、変形例３は、電線シール部３８を電線シール部９５に代えたものである。実施例の電線シール部３８は、電線６５（図６参照）を挿通させるためにスリット４７が形成されている。
これに対して、変形例３の電線シール部９５は、一対のシール材９６が重ね合わせた状態に配置されている。
【００８４】
すなわち、電線シール部９５は、リブ６２の内壁に接着剤などで接合され一対のシール材９６を備えている。
一対のシール材９６は、各端部９６ａが互いに重ね合わされる状態に配置される。互いに重ね合わされる各端部９６ａで重合せ部９７が形成される。
これにより、一対のシール材９６の端部９６ａ間（すなわち、重合せ部９７）が確実に閉じられ、一対のシール材９６で挿通口６１が覆われる。
一対のシール材９６は、電線シール部３８と同様に、自動車のシール材として用いられる弾性部材で形成される。
【００８５】
ここで、一対のシール材９６は、各端部９６ａ間に電線６５を挿通可能に重ね合わされている。各端部９６ａ間に電線６５（図６参照）が挿通されることにより、一対のシール材９６が弾性変形する。
一対のシール材９６が弾性変形することにより、電線６５および端部９６ａ間に隙間が生じないようにできる。これにより、電線６５および端部９６ａ間から電力取出部１６（図３参照）に雨水が浸入することを抑えることができる。
【００８６】
なお、本発明に係る電力取出装置は、前述した実施例に限定されるものではなく適宜変更、改良などが可能である。
例えば、前記実施例では、電源装置１０として直流／交流変換装置を例示したが、これに限らないで、電源装置１０を発電機などの他の装置に適用することも可能である。
【００８７】
また、前記実施例では、電力取出装置１５を雨水から保護する例について説明したが、
雨水に限定するものではなく、電力取出装置１５を他の水から保護することも可能である。
【００８８】
さらに、前記実施例では、水排出口５７を中央排出口６７、左排出口６８および右排出口６９で形成した例について説明したが、これに限らないで、水排出口５７を中央排出口６７のみで形成することも可能である。
【００８９】
また、前記実施例では、中央案内部７６を上張出壁３１から中央排出口６７に向けて下り勾配に形成した例について説明したが、これに限らないで、中央案内部７６を水平に形成することも可能である。
【００９０】
さらに、前記実施例では、中央案内部７６の先端７６ａに上突部５９ａを形成した例について説明したが、これに限らないで、中央案内部７６の先端７６ａに上突部５９ａを設けないように形成することも可能である。
【００９１】
また、前記実施例で示した電源装置、本体、電力取出装置、電力取出部、張出壁、カバー、出力コンセント、上張出壁、カバー壁、カバー周壁、電線シール部、水導入口、スリット、水排出口、水案内部、上突部、挿通口、電線、中央排出口、中央案内部および重合せ部などの形状や構成は例示したものに限定するものではなく適宜変更が可能である。
【産業上の利用可能性】
【００９２】
本発明は、電力変換装置などに設けられ、電力変換装置で交流に変換された電力を取り出す電力取出装置を備えた電源装置への適用に好適である。
【符号の説明】
【００９３】
１０    電源装置
１１    本体
１５    電力取出装置
１６    電力取出部
１７    張出壁
１７ａ  張出壁の先縁
１８    カバー
２８    出力コンセント（コンセント）
３１    上張出壁（張出壁）
３１ａ  上張出壁の先端
３６    カバー壁
３６ａ  カバー壁の外周縁
３７    カバー周壁
３８，９５  電線シール部
４５    水導入口
４７    スリット
５７，９１  水排出口
５８    水案内部
５９    上突部（突部）
６１    挿通口
６５    電線
６７，９２  中央排出口
６７Ｃ  中央排出口の下縁（水排出口の下縁）
７６    中央案内部
９７    重合せ部
【図１】
2016096649.tif 000003
【図２】
2016096649.tif 000004
【図３】
2016096649.tif 000005
【図４】
2016096649.tif 000006
【図５】
2016096649.tif 000007
【図６】
2016096649.tif 000008
【図７】
2016096649.tif 000009
【図８】
2016096649.tif 000010
【図９】
2016096649.tif 000011
【図１０】
2016096649.tif 000012
【図１１】
2016096649.tif 000013
【図１２】
2016096649.tif 000014
【図１３】
2016096649.tif 000015
【図１４】
2016096649.tif 000016
【図１５】
2016096649.tif 000017
【図１６】
2016096649.tif 000018